(57)【要約】      （修正有）【課題】高臨場感を生み出して、奥行きや拡がり感を強調させ、３方向からの重低音を含む音を再生する骨伝導３Ｄヘッドホンを提供する。【解決手段】オーディオ信号入力による左右スピーカ及びヘッドバンド中央に設けた骨伝導スピーカで３方向から再生して、且つ、音量レベル検出手段にて変化量測定して前後の遠近感をＲＯＭのデータから呼び出して骨伝導スピーカへ供給し後頭部を振動して重低音再生する。【選択図】図１
0003174965.tif 000002
【実用新案登録請求の範囲】
【請求項１】
従来の左右に配置されたスピーカ部にヘッドバンドの中央部にさらに骨伝導スピーカを設けて左右スピーカ入力端子から同時に結線し、骨伝導スピーカに伝え聴く。特定の目標とする音域又は周波数を絞る音質調整器を介して音レベル検出手段によりデジタル信号を前後の移動に伴う音レベル増減を検出しマイコン等で演算ＲＯＭに遅れ時間を記憶させて随時呼び出し波形を時間軸で位相をずらす回路でディレイさせて骨伝導スピーカに入力させた骨伝導３Ｄヘッドホン。
【請求項２】
従来のヘッドホンに後頭部に密着させた骨伝導スピーカと左右のスピーカシステムにより後方から音を出すことでサラウンド効果を倍増させる骨伝導３Ｄヘッドホン。
【請求項３】
マイクから拾った音はステレオ音響として放送されており受信機側で左右の音レベルの差分より左右合成した音源を周波数分析して前後の移動或いは方向を検出する為の時間差による音レベルの差分検出手段からデジタル変換後変化量測定を行う音レベル比較量検出する変化量測定手段によりエンコード回路でデジタル信号に変換、ＲＯＭへ入力する骨伝導３Ｄヘッドホン。
【考案の詳細な説明】
【技術分野】
【０００１】  本考案は、オーディオ機器で再生時に使うヘッドホンをより臨場感を高め外部に聴こえないように改良した聴覚装置に関するものである。
【背景技術】
【０００２】  ヘッドホンは、オーディオ再生で使われるが周囲に雑音を発生させる欠点があり左右の音像の移動感は再生できるが迫ってくる音の前後の移動感は再現できない問題点があった。ドップラー効果による遠近感以外の横方向の拡がり感のみ再現しているため迫力さに欠ける。
【考案の開示】
【考案の解決しようとする課題】
【０００３】  本考案は上記問題の解決策の一環としてＡＶ機器のより高臨場感のある音を再生できる外部にノイズを出さないヘッドホンの提案をした。この提案は、臨場感の改善の他に多岐にわたる応用が可能な骨伝導３Ｄヘッドホンを提供するものである。
【課題を解決するための手段】
【０００４】  本考案の請求項１記載の骨伝導３Ｄヘッドホンの基本技術は、従来の左右に配置されたスピーカ部にヘッドバンドの中央部にさらに骨伝導スピーカを設けて左右スピーカ入力端子から同時に結線して骨伝導スピーカに伝えて３方向から聴くスタイルにする。まず目的の引き出したい音や人声の音域や周波数を絞って強調する音質調整に音レベル検出手段によりデジタル信号を前後の移動に伴う音レベル増減検出しマイコン等で演算、ＲＯＭに遅れ時間を記憶させて随時呼び出し波形を時間軸で位相をずらす回路でディレイさせて先ほどの骨伝導スピーカに入力させる。
【０００５】  本考案の請求項２記載の骨伝導３Ｄヘッドホンは、従来のサラウンド技術における音の臨場感を拡大するシステムを改良して遠近感を実感するための３方向に配置する中央部が骨伝導スピーカと両端のスピーカヘッドバンドで結合して構成された３方向ヘッドホン。
【０００６】  本考案の請求項３記載の骨伝導３Ｄヘッドホンは、マイクから拾った音は大抵ステレオ音響信号として放送されており、受信機側で左右の音レベルの差分より左右音成分を合成した周波数分析して前後の移動或いは、方向を検出する為の時間差による音レベルの差分検出手段からデジタル変換後、変化量測定を行う音レベルの時間別にレベル比較量検出する変化量測定手段によりエンコード回路でデジタル信号に変換ＲＯＭへ入力する。ＲＯＭには遅れ時間データが記録されていて呼び出しアドレスによりディレイ回路を使い音声信号の遅れを生じさせて骨伝導スピーカに出力する。
【考案の効果】
【０００７】  本考案は、従来のヘッドホンに比べて横方向の音の拡がりなどの再現の他に音源の前後の移動によるサラウンド時間の値を変動させる回路とともに３方向の骨伝導スピーカを含む３スピーカの音響ユニットで構成されているため臨場感が優れており迫力のある音をデジタル音源出力端子につなげるだけで楽しめる。
【考案を実施するための最良の形態】
【０００８】  以下、本考案の実施の一形態を図１から図３を参照に説明する。図１は本考案骨伝導３Ｄヘッドホン本体の図である。１は入力端子（共通部）でオーディオ信号を加える共通の端子である。一方２は左信号入力端子で３は右信号入力端子である。１の入力端子（共通部）は４の左スピーカ及び５右スピーカに接続されている。２の左信号入力端子は、４の左スピーカに接続、３の右信号入力端子は、５の右スピーカにそれぞれ繋がっている。一方１の入力端子（共通部）は７の音量レベル検出手段回路に入り８のＡＤ変換回路に接続されている。７の音量レベル検出手段回路は１５音質調整器に接続されている。【０００９】  デジタル信号に変換する８のＡＤ変換回路は９の変化量測定手段回路に接続されている。１０のエンコード回路はデジタルアドレス信号として１１のＲＯＭを呼び出してこのＲＯＭにはサラウンド時間データが入っており１２のディレイ回路へ接続されており６の骨伝導スピーカに接続されている。【００１０】  １の入力端子（共通部）から７の音量レベル検出手段回路に入ると音の高低で遠近度合を検出するために時間差による音量レベルを比較してレベル差を検出する。これはメモリなどで構成できる従来の方法でよく、８のＡＤ変換回路でデジタル化して９の変化量測定手段回路これは、詳細な変化量を測定する演算回路などプロセッサで構成される。１０のエンコード回路は１１のＲＯＭの内容を呼び出すための回路である。【００１１】  ＲＯＭ１１には、サラウンド時間が記録されており音レベルの変化量に応じて遠ざかっている又は近づいているか判定する手段として１１のＲＯＭのサラウンド時間データを呼び出して１２のディレイ回路で４の左スピーカからの出力及び６の骨伝導スピーカを経て５の右スピーカに接続されている。１２のディレイ回路を介しているので入力１１のＲＯＭの制御によりディレイ時間差を音声信号から位相を変える効果でサラウンド時間を加えて６の骨伝導スピーカへ出力する。【００１２】  これにより６の骨伝導スピーカと従来の両スピーカとの併用で３方向から聴こえるので臨場感が増して中央部の骨伝導スピーカは重低音の再生に向いておりサラウンド時間が音源移動の遠近度で変化して重低音とともに３Ｄ音響効果が増している。【００１４】  或る時間にレベルＲｎの音が入り次の時間がＴ過ぎた場合レベルＲｍの音が入るとＲｎがＲｍより大きいとする。これは、音が小さくなることで遠ざかることであるから時間差を付ける場合或るポイントから出た音がＨ離れたポインントで聴く時に遠ざかるように聴こえるには時間差が大きくなるはずでこの原理から１１のＲＯＭの遅れ時間の内容を決めることができる。【００１５】  図２はスピーカ方式におけるサラウンド効果を示す具体的な例である。３スピーカで３Ｄ効果を生むステレオで拡がりが加わると聴く人の位置を結ぶ線分の距離が長くなり届く時間が掛かる。遅れ時間が生じる。其の長さに比例して遅れ時間が大きくなるから前に来るものは遅れ時間が大きくなる。１４の中央スピーカからの音の発生は音の大きさと遅れによる響きで３Ｄ感を生む。【００１６】  図３はヘッドホンにおける音場の位置の変化である。この場合図２における前移動の遅れ時間は反比例す��。【００１７】  このように骨伝導３Ｄヘッドホンは従来のヘッドホンより臨場感に優れ中央の骨伝導スピーカで重低音がより迫力のある音響が楽しめる。
【図面の簡単な説明】
【００１８】
【図１】本考案の実施の一形態による骨伝導３Ｄヘッドホンの回路図である。
【図２】本考案のスピーカ方式サラウンド効果の説明の図である。
【図３】骨伝導３Ｄヘッドホンの全体の図である。
【符号の説明】
【００１９】１    入力端子（共通部）
２    左信号入力端子
３    右信号入力端子
４    左スピーカ
５    右スピーカ
６    骨伝導スピーカ
７    音量レベル検出手段回路
８    ＡＤ変換回路
９    変化量測定手段回路
１０  エンコード回路
１１  ＲＯＭ
１２  ディレイ回路
１３  ヘッドバンド
１４  中央スピーカ
１５  音質調整器
【図１】
0003174965.tif 000003
【図２】
0003174965.tif 000004
【図３】
0003174965.tif 000005
【手続補正書】
【提出日】平成24年1月25日(2012.1.25)
【手続補正１】
【補正対象書類名】実用新案登録請求の範囲
【補正対象項目名】全文
【補正方法】変更
【補正の内容】
【実用新案登録請求の範囲】
【請求項１】
本考案の基本技術は左右に配置されたスピーカ部とヘッドバンドに骨伝導スピーカを設けて左右スピーカ端子へ同時に結線して音レベル検出手段によりデジタル音声信号を特定の周波数音源の前後の移動に伴う音レベルの変化量の増減を検出しプロセッサで演算後、音声信号のサラウンド効果を示すディレイ時間を記憶させたＲＯＭを呼び出し音声波形の位相をかえて骨伝導スピーカに出力させることを特徴とした骨伝導３Ｄヘッドホン。
【請求項２】
左右のスピーカ部にヘッドバンドの中央部に骨伝導スピーカを設けた３方向に聴こえるように改良をして請求項１記載に示す左右スピーカ部端子へ音源の移動に伴うサラウンド効果を生むディレイ時間を変える構成の接続により音声入力の臨場感を高めることを特徴とする請求項１記載の骨伝導３Ｄヘッドホン。
【請求項３】
左右の音レベルの検出手段においてマイクや受信機から得た特定の周波数を強調させる音質調整回路と時間ごとのレベル変化量を測定する回路で差分検出手段を構成してエンコード回路からディレイ時間を記録したＲＯＭで呼び出して骨伝導スピーカと左右のスピーカから聴くことを特徴とした請求項１記載の骨伝導３Ｄヘッドホン。